(57)【要約】【課題】簡単かつ容易に、しかもスムーズに練り歯磨きを押し出して使用する。使用しない携帯時に、練り歯磨が押し出されるのを有効に防止する。【解決手段】歯ブラシは、台付ブラシ部１を本体部２の先端に備える。本体部２は、内部に充填室３を有するシリンダー４と、シリンダー４の外側に軸方向に移動できるように連結している外筒５と、充填室３に充填している練り歯磨き２０を押し出すピストン６と、ピストン６と外筒５をシリンダー４の後方に弾性的に押圧する弾性体１０とを備える。ピストン６は、後端のロッド部７をシリンダー４の後端から突出させて外筒５に連結している。外筒５がシリンダー４の前方に押圧されると、外筒５がピストン６を前進させて、充填室３の練り歯磨き２０を台付ブラシ部１の排出路１７を通過してブラシ部１５に押し出し、外筒５の押圧が解除されると、弾性体１０が外筒５を復帰位置に後退させる。【選択図】  図４
2004344264.tif 000002
【特許請求の範囲】
【請求項１】
先端にブラシ（１６）を固定している台付ブラシ部（１）と、この台付ブラシ部（１）を先端に備えると共に、内部に練り歯磨き（２０）を充填する充填室（３）を設けている本体部（２）とを備えており、前記台付ブラシ部（１）と前記本体部（２）とが以下の全ての構成を有することを特徴とする歯ブラシ。
（ａ）  前記本体部（２）は、前記充填室（３）の開口部（３Ａ）を先端に設けており、前記本体部（２）に連結される前記台付ブラシ部（１）は、前記充填室（３）の開口部（３Ａ）に連通する排出路（１７）を内部に設けており、この排出路（１７）を先端に設けているブラシ部（１５）まで延長している。
（ｂ）  前記本体部（２）は、内部に前記充填室（３）を設けているシリンダー（４）と、このシリンダー（４）を挿入している筒状であって、前記シリンダー（４）の外側に配設されて前記シリンダー（４）に軸方向に移動できるように連結している外筒（５）と、この外筒（５）に後端を連結して、前記シリンダー（４）内に往復運動できるように配設されて、前記充填室（３）に充填している練り歯磨き（２０）を押し出すピストン（６）と、このピストン（６）と前記外筒（５）を前記シリンダー（４）の後方に弾性的に押圧する弾性体（１０）とを備える。
（ｃ）  前記ピストン（６）は、前記シリンダー内の前記充填室（３）に配設されて、前記充填室（３）の練り歯磨き（２０）を押し出す先端の押出シール部（８）と、この押出シール部（８）に連結されて後端を前記シリンダー（４）の後端から突出させて前記外筒（５）に連結しているロッド部（７）を備える。
（ｄ）  前記弾性体（１０）は、貫通孔のある押しバネである。
（ｅ）  前記ピストン（６）のロッド部を前記弾性体（１０）の貫通孔に挿通すると共に、前記弾性体（１０）を、前記シリンダー（４）の後端と前記外筒（５）の後端との間に配設して、前記弾性体（１０）で前記外筒（５）を前記シリンダー（４）の後方に弾性的に押し出している。
（ｆ）  前記外筒（５）が前記シリンダー（４）の前方に押圧されると、前記外筒（５）が前記ピストン（６）を前進させて、前記充填室（３）に充填している練り歯磨き（２０）を前記台付ブラシ部（１）の排出路（１７）を通過してブラシ部（１５）に押し出し、前記外筒（５）の押圧が解除されると、前記弾性体（１０）が前記外筒（５）を復帰位置に後退させる。
【請求項２】
先端にブラシ（１６）を固定している台付ブラシ部（１）と、この台付ブラシ部（１）を先端に備えると共に、内部に練り歯磨き（２０）を充填する充填室（３）を設けている本体部（２）とを備えており、前記台付ブラシ部（１）と前記本体部（２）とが以下の全ての構成を有することを特徴とする歯ブラシ。
（ａ）  前記本体部（２）は、前記充填室（３）の開口部（３Ａ）を先端に設けており、前記本体部（２）に連結される前記台付ブラシ部（１）は、前記充填室（３）の開口部（３Ａ）に連通する排出路（１７）を内部に設けており、この排出路（１７）を先端に設けているブラシ部（１５）まで延長している。
（ｂ）  前記本体部（２）は、内部に前記充填室（３）を設けているシリンダー（４）と、このシリンダー（４）を挿入している筒状であって、前記シリンダー（４）の外側に配設されて前記シリンダー（４）に軸方向に移動できるように連結している外筒（５）と、この外筒（５）に後端を連結して、前記シリンダー（４）内に往復運動できるように配設されて、前記充填室（３）に充填している練り歯磨き（２０）を押し出すピストン（６）と、このピストン（６）と前記外筒（５）を前記シリンダー（４）の後方に弾性的に押圧する弾性体（１０）とを備える。
（ｃ）  前記ピストン（６）は、前記シリンダー内の前記充填室（３）に配設されて、前記充填室（３）の練り歯磨き（２０）を押し出す先端の押出シール部（８）と、この押出シール部（８）に連結されて後端を前記シリンダー（４）の後端から突出させて前記外筒（５）に連結しているロッド部（７）を備える。
（ｄ）  前記弾性体（１０）は、貫通孔のある引きバネである。
（ｅ）  前記ピストン（６）のロッド部を前記弾性体（１０）の貫通孔に挿通すると共に、前記弾性体（１０）を、前記シリンダー（４）の内部であって、前記シリンダーの後端と前記押出シール部との間に配設して、前記弾性体で前記ピストンを前記シリンダーの後方に弾性的に押し出している。
（ｆ）  前記外筒（５）が前記シリンダー（４）の前方に押圧されると、前記外筒（５）が前記ピストン（６）を前進させて、前記充填室（３）に充填している練り歯磨き（２０）を前記台付ブラシ部（１）の排出路（１７）を通過してブラシ部（１５）に押し出し、前記外筒（５）の押圧が解除されると、前記弾性体（１０）が前記外筒（５）を復帰位置に後退させる。
【請求項３】
前記台付ブラシ部（１）と前記シリンダー（４）の先端部に、前記外筒（５）と同じ外形のキャップ（１９）を脱着できるように被着しており、前記キャップ（１９）の長さを、前記シリンダー（４）の先端に前記キャップ（１９）を被着する状態で、前記キャップ（１９）と前記外筒（５）を互いに当接できる長さとしている請求項１または２に記載される歯ブラシ。
【請求項４】
前記シリンダー（４）の後端に、前記ピストン（６）の後退を停止させるストッパ部（１１）を設けている請求項１または２に記載される歯ブラシ。
【請求項５】
前記台付ブラシ部（１）を前記本体部（２）に脱着できるように連結している請求項１または２に記載される歯ブラシ。
【請求項６】
前記台付ブラシ部（１）が、前記排出路（１７）の先端に設けている先端開口部（１８）を前記ブラシ部（１５）の後端部に設けている請求項１または２に記載される歯ブラシ。
【請求項７】
前記ブラシ部（１５）が、前記排出路（１７）の先端に設けている先端開口部（１８）よりも先端部と両側に前記ブラシ（１６）を植え付けしている請求項１または２に記載される歯ブラシ。
【発明の詳細な説明】
【０００１】
【発明の属する技術分野】
本発明は、練り歯磨きを収納している歯ブラシに関する。
【０００２】
【従来の技術】
練り歯磨きを収納している歯ブラシは、携帯に便利で、いつでも何処でも好きなときに歯磨きできる特長がある。この構造の歯ブラシは、たとえば以下の特許文献１〜５に記載される。
【０００３】
【特許文献１】
特開平１１−１７８６４４号公報
【特許文献２】
特開２００３−５２４５８号公報
【特許文献３】
特開２００１−５７９０８号公報
【特許文献４】
特開平８−２６６３３９号公報
【特許文献５】
特表２００２−５０３１２９号公報
【０００４】
【発明が解決しようとする課題】
特許文献１に記載される歯ブラシは、図１に示すように、柄３０の部分に、練り歯磨きを充填する蛇腹容器３１を設けている。蛇腹容器３１は、下端の両側に突起３２を設けている。柄３０である本体の内面には、螺旋状の溝３３を設けている。この溝３３に沿って蛇腹容器３１の突起３２を移動させると、蛇腹の下端が柄３０の先端に向かって移動して、収納している練り歯磨きが押し出される。
この構造の歯ブラシは、蛇腹容器を回転して練り歯磨きを押し出し、また逆方向に回転して練り歯磨きを吸入するので、練り歯磨きの押し出しと吸引に手間がかかる欠点がある。また、蛇腹容器をスムーズに回転できる構造とするのが難しい欠点もある。
【０００５】
特許文献２には、柄の部分に歯磨剤を充填する歯ブラシが記載される。この歯ブラシは、柄の部分を伸縮性ソフトチューブとして、ここに歯磨剤を充填している。伸縮性ソフトチューブを握って軽く押さえると、クリーム状の歯磨剤がブラシ部に供給される。
この歯ブラシは伸縮性ソフトチューブを押して歯磨剤を簡単に押し出しできるが、携帯しているときに伸縮性ソフトチューブが押されて歯磨剤が排出される欠点がある。とくに、伸縮性ソフトチューブは伸縮性のあるソフトチューブが使用されるので、バック等に入れて携帯するとき、他のものに押されて歯磨剤が押し出されやすい欠点がある。
【０００６】
特許文献３にも、柄の部分に歯磨剤を充填する歯ブラシが記載される。この歯ブラシは、軸筒部内に収納している歯磨き剤を外部からの回転操作で押し出して歯ブラシ部に供給する。この歯ブラシは、軸筒部に回転操作部を設け、軸筒部内に、歯磨き剤充填カートリッジ、押圧部材、及びねじ送り機構を装備している。押圧部材は、軸筒部の回転につれねじ送り機構を介し前方へ直進してカートリッジを圧縮変形させ、歯ブラシ部に歯磨き剤を供給する。
この歯ブラシも練り歯磨きを押し出すのに手間がかかる欠点がある。それは、軸筒部を回転して練り歯磨きを押し出すからである。
【０００７】
特許文献４には、柄に歯磨剤を充填する歯ブラシが記載される。この歯ブラシは、歯磨剤を充填する軟質の歯磨剤容器を収容可能な筒状の柄と、この柄内に収容された歯磨剤容器の先端開口部から流出した歯磨剤をブラシ植毛部に導くための歯磨剤流路が形成されたブラシヘッドとを有する。さらに、歯ブラシは、柄の外面上に配置された操作体と、この操作体を柄の長手方向に沿って前進させたときに、柄内に収容している歯磨剤容器から歯磨剤を押し出すように操作体に連動して柄内を前進する押圧体と、この押圧体および操作体を前進位置に固定保持させるための固定保持手段とを備える。この歯ブラシは、操作体で押圧体を移動させて、歯磨剤を押し出す。
この歯ブラシは、携帯時に練り歯磨きが押し出されのを防止できるが、操作部の操作に手間がかかるので、使用時に簡単に練り歯磨きを押し出しできない欠点がある。
【０００８】
特許文献５には、柄の部分をシリンダー状にして歯磨剤を充填する歯ブラシが記載される。この歯ブラシは、シリンダーの内部に、歯磨剤を押し出すピストンを設けている。ピストンは、これをシリンダーに沿って移動させる接続コードに連結している。接続コードはシリンダー内にあって柄の先端部に設けている回転ダイアルの回転軸に連結している。この歯ブラシは、回転ダイアルを回転して、回転軸で接続コードを巻き取り、接続コードでピストンを移動させて、ピストンで歯磨剤を押し出す。
この歯ブラシも、携帯時に練り歯磨きが押し出されるのを防止できるが、回転ダイアルを回転して練り歯磨きを押し出すので、使用時に簡単に練り歯磨きを押し出しできない欠点がある。また、全体の機構が複雑になると共に、練り歯磨きの内部に接続コードを配設するので、これが練り歯磨きに接触して、練り歯磨きを汚す等の欠点もある。
【０００９】
以上のように、種々の構造の歯ブラシが開発されているが、これ等の歯ブラシは、使用するときにスムーズに練り歯磨きを押し出しながら、使用しない携帯時等にあっては練り歯磨きが押し出されるのを確実に阻止するのが極めて難しい欠点がある。本発明は、この欠点を解決することを目的として開発されたもので、本発明の大切な目的は、使用時にあっては、簡単かつ容易に、しかもスムーズに練り歯磨きを押し出ししながら、使用しない携帯時には練り歯磨が押し出されるのを有効に防止し、さらに長期間にわたってスムーズに練り歯磨きを押し出しできる歯ブラシを提供することにある。
【００１０】
【課題を解決するための手段】
本発明の歯ブラシは、先端にブラシ１６を固定している台付ブラシ部１と、この台付ブラシ部１を先端に備えると共に、内部に練り歯磨き２０を充填する充填室３を設けている本体部２とを備える。さらに、本発明の歯ブラシは、台付ブラシ部１と本体部２とが以下の全ての構成を有することを特徴とする。
（ａ）  本体部２は、充填室３の開口部３Ａを先端に設けており、本体部２に連結される台付ブラシ部１は、充填室３の開口部３Ａに連通する排出路１７を内部に設けており、この排出路１７を先端に設けているブラシ部１５まで延長している。
（ｂ）  本体部２は、内部に充填室３を設けているシリンダー４と、このシリンダー４を挿入している筒状であって、シリンダー４の外側に配設されてシリンダー４に軸方向に移動できるように連結している外筒５と、この外筒５に後端を連結して、シリンダー４内に往復運動できるように配設されて、充填室３に充填している練り歯磨き２０を押し出すピストン６と、このピストン６と外筒５をシリンダー４の後方に弾性的に押圧する弾性体１０とを備える。
（ｃ）  ピストン６は、シリンダー４内の充填室３に配設されて、充填室３の練り歯磨き２０を押し出す先端の押出シール部８と、この押出シール部８に連結されて後端をシリンダー４の後端から突出させて外筒５に連結しているロッド部７を備える。
（ｄ）  弾性体１０は貫通孔を有する。
（ｅ）  ピストン６のロッド部７を弾性体１０の貫通孔に挿通すると共に、弾性体１０を、シリンダー４の後端と外筒５の後端との間に配設して、弾性体１０で外筒５をシリンダー４の後方に弾性的に押し出している。
（ｆ）  外筒５がシリンダー４の前方に押圧されると、外筒５がピストン６を前進させて、充填室３に充填している練り歯磨き２０を台付ブラシ部１の排出路１７を通過してブラシ部１５に押し出し、外筒５の押圧が解除されると、弾性体１０が外筒５を復帰位置に後退させる。
【００１１】
本発明の請求項２の歯ブラシは、貫通孔のある弾性体１０を備えている。この歯ブラシは、ピストン６のロッド部７を弾性体１０の貫通孔に挿通すると共に、弾性体１０を、シリンダー４の内部であって、シリンダー４の後端と押出シール部８との間に配設して、弾性体１０でピストン６をシリンダー４の後方に弾性的に押し出している。この歯ブラシは、外筒５がシリンダー４の前方に押圧されると、外筒５がピストン６を前進させて、充填室３に充填している練り歯磨き２０を台付ブラシ部１の排出路１７を通過してブラシ部１５に押し出し、外筒５の押圧が解除されると、弾性体１０がピストン６をシリンダー４の後方に弾性的に押し出して、外筒５を復帰位置に後退させる。
【００１２】
本発明の歯ブラシは、台付ブラシ部１とシリンダー４の先端部に、外筒５と同じ外形のキャップ１９を脱着できるように被着することができる。このキャップ１９は、シリンダー４の先端にキャップ１９を被着する状態で、キャップ１９と外筒５を互いに当接できる長さとすることができる。
【００１３】
さらに、本発明の歯ブラシは、シリンダー４の後端に、ピストン６の後退を停止させるストッパ部１１を設けて、ピストン６を所定の位置まで後退させることができる。
【００１４】
さらに、本発明の歯ブラシは、台付ブラシ部１を本体部２に脱着できるように連結することができる。台付ブラシ部１は、排出路１７の先端に設けている先端開口部１８を、ブラシ部１５の後端部に設けることができる。さらに、ブラシ部１５は、排出路１７の先端に設けている先端開口部１８よりも先端部と両側にブラシ１６を植え付けることができる。
【００１５】
【発明の実施の形態】
以下、本発明の実施例を図面に基づいて説明する。ただし、以下に示す実施例は、本発明の技術思想を具体化するための歯ブラシを例示するものであって、本発明は歯ブラシを下記のものに特定しない。
【００１６】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１７】
図２ないし図７に示す歯ブラシは、先端にブラシ１６を固定している台付ブラシ部１と、この台付ブラシ部１を先端に脱着できるように連結すると共に、内部に練り歯磨き２０を充填する充填室３を設けている本体部２とを備えている。この歯ブラシは、使用するときに、本体部２に充填している練り歯磨き２０をブラシ部１５に押し出し、押し出された練り歯磨き２０を使用してブラシ１６で歯磨きをする。
【００１８】
本体部２は、内部に充填室３を設けているシリンダー４と、このシリンダー４を挿入している筒状であって、シリンダー４の外側に配設されてシリンダー４に軸方向に移動できるように連結している外筒５と、この外筒５に後端を連結して、シリンダー４内に往復運動できるように配設しているピストン６と、このピストン６と外筒５をシリンダー４の後方に弾性的に押圧する弾性体１０とを備える。
【００１９】
シリンダー４は、内側に充填室３を備えており、その先端を開口部３Ａとしている。充填室３に充填している練り歯磨き２０は、ピストン６を操作して開口部３Ａから台付ブラシ部１に押し出される。開口部３Ａから押し出される練り歯磨き２０は、台付ブラシ部１に設けている排出路１７から先端のブラシ部１５に押し出される。
【００２０】
外筒５は、シリンダー４の外側に配設された筒体で、シリンダー４の外形とほぼ等しい内形を有する。この外筒５は、シリンダー４を軸方向に移動できるように挿入している。さらに外筒５は、シリンダー４よりも後端に突出している。また、シリンダー４は、外筒５よりも先端に突出している。すなわち、本体部２は、後端部では外筒５がシリンダー４よりも突出しているが、先端部では外筒５よりもシリンダー４が突出している。シリンダー４の後端に突出する外筒５には、ピストン６の後端を連結している。
【００２１】
ピストン６は、先端を充填室３に配設して、後端を本体部２の後端まで延長して外筒５に連結している。ピストン６は、ロッド部７の先端に、シリンダー４内を隙間なく摺動して、充填室３の練り歯磨き２０を押し出す押出シール部８を設けている。押出シール部８は、硬質プレート８Ａの前面に板状の軟質パッキン８Ｂを設けている。軟質パッキン８Ｂの外径はシリンダー４の内径にほぼ等しく、シリンダー４の内面に弾性的に押圧されて隙間なくシリンダー４の内面を摺動して、練り歯磨き２０を圧送する。ただ、押出シール部８は、図５と図６に示すように、硬質プレート８Ａの周囲に沿って軟質パッキン８Ｂを設けることもできる。この硬質プレート８Ａは外周面に沿って溝を設けており、この溝にリング状の軟質パッキン８Ｂを装着している。この押出シール部８も、軟質パッキン８Ｂをシリンダー４の内面に弾性的に押圧させて、隙間なくシリンダー４の内面を摺動して練り歯磨き２０を圧送する。ピストン６の後端は、本体部２の後端である外筒５の後端まで延長して、外筒５に連結している。
【００２２】
ピストン６の後端と外筒５の後端は、押圧部１３を介して連結している。押圧部１３は、外周部を外筒５の後端部に連結すると共に、中心部にピストン６のロッド部７の後端を連結して、ピストン６の後端と外筒５の後端を連結している。図に示す押圧部１３は、外筒５の内形とほぼ等しい外形を有する円柱状で、外筒５の後端部の内側に挿入されて外筒５の後端部に固定している。押圧部１３と外筒５は、雄ネジと雌ネジを設けて連結し、あるいは連結ピンや止ネジを介して連結し、あるいはまた接着して連結することができる。さらに、押圧部１３は、中心部にピストン６のロッド部７の後端を挿入して連結する連結部１３Ａを設けている。図４に示す連結部１３Ａは凹部である。凹部である連結部１３Ａは、ロッド部７の後端部の外形とほぼ等しい内形としている。連結部１３Ａに挿入されるロッド部７は、雄ネジと雌ネジを設けて連結し、あるいは連結ピンや止ネジを介して連結し、あるいはまた接着して連結することができる。ただ、連結部１３Ａは、図５と図７に示すように貫通孔とすることもできる。これらの図に示す押圧部１３は、連結部１３Ａにロッド部７を挿通する状態で、押圧部１３とロッド部７とを貫通する連結ピン２１が挿入されて互いに連結される。とくに、図７に示す押圧部１３は、外筒５と押圧部１３とロッド部７とを貫通する連結ピン２１を挿入して互いに連結している。
【００２３】
さらに、図４ないし図７に示す押圧部１３は、外筒５やロッド部７とは別部材としており、中心部にロッド部７の後端部を挿入して連結すると共に、外筒５の後端部に挿入して連結している。ただ、押圧部は、図示しないが、外筒やロッド部と一体的に成形することもできる。
【００２４】
弾性体１０は、中心孔を有すると共に、弾性的に伸縮するゴム状弾性体やコイルスプリングで、外筒５をシリンダー４の後方に弾性的に押圧する。弾性体１０は、ピストン６のロッド部７を中心孔に挿通しており、ロッド部７に沿って伸縮する。この弾性体１０は、外筒５をシリンダー４の前方に押圧しない状態では、外筒５をシリンダー４の後方に弾性的に押し出して、図に示す復帰位置に後退させる。弾性体は、ゴム状弾性体やコイルスプリングで、ゴム状弾性体や線材の材質、線材の太さ、巻径、巻数、全長等で弾性特性を調整して、最適な弾性力となるように設計して、理想的な状態で外筒５を後退できる。
【００２５】
図４と図５に示す歯ブラシは、弾性体１０を押しバネのコイルスプリングとしている。押しバネのコイルスプリングは、シリンダー４の後端と外筒５の後端との間に配設している。図４に示す弾性体１０は、ロッド部７の後端に連結された押圧部１３と、シリンダー４の後端部に固定された位置決キャップ９との間に配設している。この弾性体１０は、シリンダー４の後端から突出するロッド部７が挿通されて、所定の姿勢に保持されている。押しバネである弾性体１０は、外筒５がシリンダー４の前方に押圧されると弾性的に収縮される。収縮された弾性体１０は、弾性的な伸長しようとする力で、外筒５をシリンダー４の後方へ押圧する。したがって、この歯ブラシは、外筒５の押圧が解除されると、押しバネである弾性体１０で外筒５をシリンダー４の後方に弾性的に押し出して、外筒５を復帰位置に後退させる。このように、弾性体１０であるコイルスプリングをシリンダー４の外部に配設する構造は、シリンダー４内に設けられる充填室３を広くできる特長がある。
【００２６】
図６と図７に示す歯ブラシは、弾性体１０を引きバネのコイルスプリングとしている。引きバネのコイルスプリングは、シリンダー４の内部であって、シリンダー４の後端と押出シール部８との間に配設されている。引きバネである弾性体１０は、図６と図７に示すように、一端をピストン６の先端に配設された押出シール部８に連結して、他端をシリンダー４の後端部に連結している。コイルスプリングである弾性体１０は、図８に示すように、後端部を折曲加工して外側に突出する複数の連結部１０Ａを設けている。図のコイルスプリングは、３つの連結部１０Ａを等間隔に設けている。シリンダー４の後端面には、これらの連結部１０Ａを挿入する切欠部４Ａを設けている。このコイルスプリングは、シリンダー４の切欠部４Ａに連結部１０Ａを挿入する状態で位置決キャップ９が装着されてシリンダー４の後端部に連結される。引きバネである弾性体１０は、外筒５がシリンダー４の前方に押圧されると、ピストン６が前進して押出シール部８が前方に押し出されて弾性的に伸長する。伸長された弾性体１０は、弾性的な収縮しようとする力で、押出シール部８を引っ張ってピストン６をシリンダーの後方へ押し出す。したがって、この歯ブラシは、外筒５の押圧が解除されると、引きバネである弾性体１０がピストン１０をシリンダー４の後方に押し出して、外筒５を復帰位置に後退させる。
【００２７】
図７のピストン６は、１本のロッドであるロッド部７の先端に押出シール部８を連結している。ただし、引きバネであるコイルスプリングを挿通するピストンは、必ずしもロッド部の先端に押出シール部を連結する必要はない。それは、図６に示すように、押出シール部８に弾性体１０を連結することにより、弾性体１０を介して押出シール部８とシリンダー４の後端部との間に配設されるからである。
【００２８】
弾性体１０は、外筒５を弾性的に後退させて、外筒５を図に示す復帰位置に移動させる。弾性体１０で後退される外筒５は、所定の位置で停止される。図の歯ブラシは、弾性体１０で後退される外筒５を所定の位置で停止させるために、シリンダー４の後端に、ピストン６の後退を停止させるストッパ部１１を設けている。これらの歯ブラシは、ピストン６の後退がストッパ部１１で停止されて、外筒５が所定の位置で停止される。図の歯ブラシは、シリンダー４の後端部に位置決キャップ９を固定しており、この位置決キャップ９にストッパ部１１を設けてピストン６の後退を停止している。
【００２９】
図４に示す歯ブラシは、後退するピストン６の押出シール部８を位置決キャップ９に当接させてピストン６の後退を停止させている。この図に示す位置決キャップ９は、貫通孔９Ｃを有する筒状の筒部９Ａの端面に、鍔部９Ｂを設けた形状である。筒部９Ａは、シリンダー４の後端の内側に挿入して連結できる形状としている。筒部９Ａの貫通孔９Ｃは、ロッド部７を通過できるが押出シール部８を通過できない大きさに開口されており、この開口部をストッパ部１１としている。この形状の位置決キャップ９は、筒部９Ａの貫通孔９Ｃにロッド部７を挿通する状態でシリンダー４の後端部に装着されて、ピストン６を前後に移動できる状態とする。
【００３０】
さらに、図６と図７に示す歯ブラシは、ピストン６のロッド部７に凸部１２を設けており、シリンダー４の後端部に固定された位置決キャップ９には、ロッド部７の凸部１２に当接してピストン６の後退を停止させるストッパ部１１を設けている。図７のロッド部７は、中間部を境として太さの異なる異径ロッドで、外径の太い側をシリンダー４内に配設すると共に、外径の細い側をシリンダー４の後端から突出させている。このロッド部７は、異径ロッドの段差部をストッパ部１１に当接する凸部１２としている。このロッド部７は、全体をプラスチックで成形して安価に多量生産できる。さらに、ロッド部７は、図６に示すように、一様な太さのロッドの外周面に鍔を設けて凸部１２とすることも、図示しないが、突起や凸条を設けて凸部とすることもできる。
【００３１】
図６と図７に示す位置決キャップ９は、筒状の筒部９Ａの端面に、貫通孔９Ｃを有する円盤部９Ｄを連結した形状である。筒部９Ａは、シリンダー４の後端部の外周面に装着できる内径を有する。円盤部９Ｂの貫通孔９Ｃは、ロッド部７の後端側を通過できるが凸部１２を通過できない大きさに開口されており、この開口部をストッパ部１１としている。この形状の位置決キャップ９は、円盤部９Ｂの貫通孔９Ｃに押出ロッド７を挿通する状態でシリンダー４の後端部に装着されて、ピストン６を前後に移動できる状態としている。
【００３２】
シリンダー４に装着される位置決キャップ９は、たとえば、図４に示すように雄ネジと雌ネジを設けてねじ込んで固定することができる。ただ、位置決キャップ９は、図６に示すように凸部と凹部からなる嵌着構造で連結して固定することも、図７に示すように接着して外れないように固定することもできる。
【００３３】
以上の構造の歯ブラシは、ピストン６の押出シール部８あるいは凸部１２をシリンダー４の後端に固定した位置決キャップ９のストッパ部１１に当接させて、ピストン６の後退位置を特定するので、後退するピストン６を正確に停止できる。さらに、ピストン６は、後端が外筒５に連結されているので、後退位置が特定されるピストン６によって外筒５の後退位置が特定される。ただ、本発明の歯ブラシは、必ずしもシリンダーの後端にストッパ部を設けて、このストッパ部でピストンを停止させることなく、弾性体でピストンを後退位置に停止させることもできる。
【００３４】
さらに、図５と図６に示す歯ブラシは、外筒５の後退位置を特定するために、シリンダー４の後端部と外筒５の内面とに段差部２２を設けており、互いの段差部２２を当接させて外筒５の後退を所定の位置で停止させている。図の本体部２は、シリンダー４の後端部の外周面に位置決キャップ９を装着して固定しており、この位置決キャップ９の外径をシリンダー４の外径よりも大きくして段差部２２を設けている。外筒５は、先端部の内面を内径の異なる内面形状として段差部２２を設けている。外筒５は、先端側の内径をシリンダー４の外径とほぼ等しくすると共に、後端側の内径をシリンダー４の後端部に固定された位置決キャップ９の外径とほぼ等しくしている。この本体部２は、弾性体１０で押圧されて後退する外筒５の内面に設けた段差部２２が、シリンダー４の外周に設けられた段差部２２に当接して外筒５の後退位置が特定される。したがって、この構造の歯ブラシも、外筒５を押圧しない状態では、弾性体１０で押し出される外筒５が段差部２２で特定される最も後退する位置まで移動される。ただ、外筒は、必ずしも内径の異なる内面形状とする必要はなく、一様な厚さの筒体として内面に凸部を固定して設けて、この凸部と位置決キャップとでシリンダーと外筒との相対位置を特定することもできる。この外筒は、凸部の突出高さや材質でシリンダーとの連結強度を調整できる。
【００３５】
シリンダー４の外部に配設される押しバネである弾性体１０は、弾性的に収縮される状態で、外筒５の後端とシリンダー４の後端との間に配設される。弾性的に収縮している弾性体１０は、弾性的な伸長しようとする力で、外筒５を後退させて、ピストン６をシリンダー４のストッパ部１１に当接させて、あるいは外筒５を段差部２２に当接させて外筒５を復帰位置に停止させる。また、シリンダー４の内部に配設される引きバネである弾性体１０は、弾性的に伸長される状態で、ピストン６とシリンダー４とに連結される。弾性的に伸長している弾性体１０は、弾性的な収縮しようとする力で、ピストン６を後退させて、ピストン６をシリンダー４のストッパ部１１に当接させて、あるいは外筒５を段差部２２に当接させて外筒５を復帰位置に停止させる。
【００３６】
台付ブラシ部１は、先端にブラシ１６を固定している。このブラシ部１５に練り歯磨き２０を供給するために、内部に排出路１７を設けている。排出路１７は、台付ブラシ部１の後端を先端のブラシ部１５に連結して、後端に供給される練り歯磨き２０をブラシ部１５に供給する。図の台付ブラシ部１は、本体部２に連結する部分を円筒状として、後端を本体部２のシリンダー４の先端に挿入して連結する。台付ブラシ部１は、後端部をシリンダー４に連結する状態で、シリンダー４と同じ太さとなるようにしている。したがって、本体部２のシリンダー４は、台付ブラシ部１との連結部分４Ｂを細くしている。台付ブラシ部１の後端部の内径は、この連結部分４Ｂの外径に等しく、また、台付ブラシ部１の後端部の外径は連結部分４Ｂでないシリンダー４の本体部分の外径に等しくしている。台付ブラシ部１とシリンダー４は、互いの連結部分に雄ネジと雌ネジを設けて、ネジ止めして連結できる。図に示すシリンダー４は、連結部分４Ｂの外周部に雄ネジを設けており、台付ブラシ部１は、後端部の内面に雌ネジを設けている。このように、シリンダー４の先端部分の外周部に雄ネジを設ける構造は、この部分に練り歯磨きが付着するのを防止して、台付ブラシ部１を確実に装着できる特長がある。ただ、台付ブラシ部とシリンダーは、必ずしもネジを設けて連結する必要はなく、凸部と凹部からなる嵌着構造で脱着できるように連結することもできる。
【００３７】
さらに、図３と図４に示す台付ブラシ部１は、排出路１７の先端に設けている先端開口部１８を、ブラシ部１５の後端部に設けている。この構造の台付ブラシ部１は、排出路１７の位置に関係なく、ブラシ１６をブラシ部１５に深く植え付けできる特長がある。ブラシ１６を深く植え付けできる台付ブラシ部１は、使用中にブラシ１６が抜けるのを有効に防止できる。さらに、ブラシ部１５は、図９に示すように、排出路１７の先端に設けている先端開口部１８よりも先端部と両側にブラシ１６を植え付けることもできる。この構造の台付ブラシ部１は、先端開口部１８をブラシ部１５の中央部分に接近させながら、排出路１７を避ける状態でブラシ１６を深く植え付けできる。
【００３８】
さらに、図２と図３に示す歯ブラシは、台付ブラシ部１とシリンダー４の先端部に、外筒５と同じ外形のキャップ１９を脱着できるように挿入して連結している。キャップ１９は、台付ブラシ部１をカバーする筒状で、外筒５の外径に等しくしている。さらに、このキャップ１９は、シリンダー４の先端にキャップ１９を被着する状態で、キャップ１９と外筒５を互いに当接できる長さとしている。この歯ブラシは、本体部２にキャップ１９を連結すると、全体を同じ太さの円柱状にできる。キャップ１９は、シリンダー４の先端部に挿入するので、その内径をシリンダー４の外径にほぼ等しくしている。本体部２に連結されたキャップ１９は、台付ブラシ部１をカバーするように本体部２に被着される。
【００３９】
以上の構造の歯ブラシは、以下のようにして使用される。
（１）  台付ブラシ部１を本体部２から外し、本体部２の充填室３に練り歯磨き２０を充填する。
（２）  練り歯磨き２０を充填した後、本体部２に台付ブラシ部１を連結する。使用しないときは、さらに、台付ブラシ部１とシリンダー４の先端部にキャップ１９を被着する。
（３）  歯ブラシを使用するときは、キャップ１９を外し、外筒５をシリンダー４の前方に押圧してピストン６を前進させる。前進するピストン６は、充填室３に充填している練り歯磨き２０を充填室３から押し出す。押し出された練り歯磨き２０は、充填室３の開口部３Ａから台付ブラシ部１の排出路１７に供給され、排出路１７を通過してブラシ部１５に押し出される。
（４）  その後、外筒５の押圧を解除すると、弾性体１０がピストン６をシリンダー４の後方に弾性的に押し出して、外筒５を復帰位置に後退させる。後退するピストン６は、排出路１７からブラシ部１５に押し出されていた余分の練り歯磨き２０を吸入する。したがって、排出路１７の先端開口部１８には、練り歯磨き２０が残存しない状態となる。
（５）  この状態で歯磨きをして、歯磨きが完了してブラシ部１５を洗浄すると、ブラシ部１５の練り歯磨き２０は綺麗に除去される。
（６）  ブラシ部１５を洗浄した後、台付ブラシ部１にキャップ１９を被着する。キャップ１９は、練り歯磨き２０の乾燥を防止すると共に、ブラシに塵等が付着するのを防止する。とくに、この歯ブラシは、練り歯磨き２０を排出路１７に吸入する状態でキャップ１９を被着できるので、練り歯磨き２０の乾燥、硬化を極めて有効に防止できる。
（７）  再び使用するときは、（３）〜（６）の工程を繰り返す。
【００４０】
さらに、本体部２の練り歯磨き２０がなくなると、（１）の工程で、台付ブラシ部１を本体部２から外して、本体部２の充填室３に練り歯磨き２０を供給して再使用できる状態とする。さらにまた、長期間使用してブラシ部１５のブラシ１６が消耗してくると、台付ブラシ部１を新しい物に交換することによって、再び、快適に使用できる。
【００４１】
さらに、本発明の歯ブラシは、各パーツを個々に分解できる構造として、リサイクルすることもできる。この歯ブラシは、以下のようにしてリサイクルできる。（１）  使用済みの歯ブラシを回収する。
（２）  回収した歯ブラシを分解して各パーツごとに分別する。
（３）  分別された各々のパーツを洗浄する。このとき、消耗が激しく再利用できないパーツや衛生面から再利用できないパーツ（たとえば、台付ブラシ部）を廃棄する。
（４）  再利用するパーツと、再利用できずに新たに用意したパーツを組み合わせてリサイクルされた歯ブラシを製作する。
このようにして製造される歯ブラシは、さらに、製造コストを低減できるので、安価に販売できる特長がある。
【００４２】
【発明の効果】
本発明の歯ブラシは、使用するときは、練り歯磨きをスムーズに押し出しでき、しかも携帯するときには、不要な練り歯磨きがブラシ部に押し出されるのを防止できる特長がある。それは、本発明の歯ブラシが、内部に充填室を有するシリンダーと、このシリンダーの外側に配設されて軸方向に移動できるように連結している外筒と、この外筒に後端を連結されて充填室に充填している練り歯磨きを押し出すピストンとを備え、外筒をシリンダーの前方に押圧すると、外筒がピストンを前進させて、充填室に充填している練り歯磨きを台付ブラシ部の排出路を通過してブラシ部に押し出す構造としているからである。この構造の歯ブラシは、外筒を前方に押圧するという極めて簡単な操作で、充填室に充填している練り歯磨きを先端のブラシ部に押し出しできる。さらに、本発明の歯ブラシは、ピストンと外筒をシリンダーの後方に弾性的に押圧する弾性体を備えており、外筒の押圧が解除されると、弾性体が外筒を復帰位置に後退させる構造としている。したがって、使用しない携帯時に、不要な練り歯磨きが不意にブラシ部に押し出されるのを有効に防止して、長期間にわたってスムーズに練り歯磨きを押し出しできる特長が実現できる。
【図面の簡単な説明】
【図１】従来の歯ブラシを示す断面図
【図２】本発明の一実施例にかかる歯ブラシの分解側面図
【図３】図２に示す歯ブラシの平面図
【図４】図２に示す歯ブラシの断面図
【図５】本発明の他の実施例にかかる歯ブラシの本体部を示す断面図
【図６】本発明の他の実施例にかかる歯ブラシの本体部を示す断面図
【図７】本発明の他の実施例にかかる歯ブラシの断面図
【図８】図７に示す歯ブラシのシリンダーの後端面を示す底面図
【図９】台付ブラシ部のブラシ部の他の一例を示す平面図
【符号の説明】
１…台付ブラシ部
２…本体部
３…充填室              ３Ａ…開口部
４…シリンダー          ４Ａ…切欠部            ４Ｂ…連結部分
５…外筒
６…ピストン
７…ロッド部
８…押出シール部        ８Ａ…硬質プレート      ８Ｂ…軟質パッキン
９…位置決キャップ      ９Ａ…筒部              ９Ｂ…鍔部
９Ｃ…貫通孔            ９Ｄ…円盤部
１０…弾性体            １０Ａ…連結部
１１…ストッパ部
１２…凸部
１３…押圧部            １３Ａ…連結部
１５…ブラシ部
１６…ブラシ
１７…排出路
１８…先端開口部
１９…キャップ
２０…練り歯磨き
２１…連結ピン
２２…段差部
３０…柄
３１…蛇腹容器
３２…突起
３３…溝
【図１】
2004344264.tif 000003
【図２】
2004344264.tif 000004
【図３】
2004344264.tif 000005
【図４】
2004344264.tif 000006
【図５】
2004344264.tif 000007
【図６】
2004344264.tif 000008
【図７】
2004344264.tif 000009
【図８】
2004344264.tif 000010
【図９】
2004344264.tif 000011